(57)【要約】      （修正有）【課題】背負い紐を使用していない背環が、何かに引っ掛かることなく安全に使用でき、かつ、体裁が良くなる多機能バッグを提供する。【解決手段】背板を有するバッグ本体１と、背負い紐と、背負い紐の上端位置を固定する背環２と、バッグ本体１へ背環２を取り付ける取り付け部４と、背環２を収納する収納ポケット５を具備する。収納ポケット５は、背板１ａの両端部を除く幅方向中央部にあって、背板１ａの上縁寄りに位置し、背板１ａの一部分を占める大きさであって、背負い紐を外した背環２を収納し得る大きさにすることで背負い紐を外した背環２を収納ポケット５に収納できるようにした。【選択図】図１
0003171028.tif 000002
【実用新案登録請求の範囲】
【請求項１】
背板（１ａ）を有するバッグ本体（１）と、背負い紐（３）と、背負い紐（３）の上端位置を固定する背環（２）と、バッグ本体（１）へ背環（２）を取り付ける取り付け部（４）と、背環（２）を収納する収納ポケット（５）を具備する多機能バッグであって、前記収納ポケット（５）は、背板（１ａ）の両端部を除く幅方向中央部にあって、背板（１ａ）の上縁寄りに位置し、背板（１ａ）の一部分を占める大きさであって、背負い紐（３）を外した背環（２）を収納し得る大きさであることを特徴とする多機能バッグ。
【請求項２】
前記取り付け部（４）は、前記バッグ本体（１）に取り付けられた背環（２）が、バッグ本体（１）の背板（１ａ）から突出した位置から、背板（１ａ）面側に沿う位置に折り返し可能に、バッグ本体（１）の背板（１ａ）に接続されている請求項１記載の多機能バッグ。
【請求項３】
前記取り付け部（４）は、折り曲げることが可能となっており、折り曲げることで、取り付け部（４）の直下に設けられた収納ポケット（５）に、背環（２）と共にそれ自身の少なくとも一部を収納することが可能である請求項１又は２記載の多機能バッグ。
【請求項４】
背環（２）に通した背負い紐（３）の両端を、バッグ本体（１）の背板（１ａ）側の両端下部付近又はバッグ本体（１）の底面両端付近に接続することで、背負い紐（３）が両肩に沿って背負うことができる構成になる請求項１から３のいずれかに記載の多機能バッグ。
【請求項５】
前記収納ポケット（５）は、背板（１ａ）の幅方向中央部の上縁寄りであって、背板（１ａ）側の左右の持ち手固定部（１２ｆ）の間に位置し、上部が開口した袋状であって、折り返しリング（４ｂ）がリング支持材（４ｃ）に支持されている部分の下端に、収納ポケット（５）の開口部である上端が位置している請求項１から４のいずれかに記載の多機能バッグ。
【請求項６】
前記バッグ本体（１）の背板（１ａ）側に、背環（２）以外の収納物を入れることが可能な物入れ部（６）をさらに有し、物入れ部（６）は、バッグ本体（１）と略同じ幅であって、バッグ本体（１）の底部から折り返しリング（４ｂ）がリング支持材（４ｃ）に支持されている部分の下端位置まで設けられている請求項１から５のいずれかに記載の多機能バッグ。
【考案の詳細な説明】
【技術分野】
【０００１】
本考案は、手提げ、肩掛け、斜め掛け又は背負うこと等が可能となる多機能バッグに関するものである。
【背景技術】
【０００２】
多機能バッグにおいて、背負いバッグとして使用しないときに、バッグ本体に設けられた収納部分に背負い紐を収納することができるようにした多機能バッグ（特許文献１）や、ショルダーストラップを折りたたんでショルダーストラップポケットに収容することができるバッグ（特許文献２）は存在していた。
【先行技術文献】
【特許文献】
【０００３】
【特許文献１】特開２００２−１４２８２６号公報
【特許文献２】特表平６−５０３０１９号公報
【考案の概要】
【考案が解決しようとする課題】
【０００４】
しかしながら、手提げ、肩掛け、斜め掛け又は背負うこと等が可能となる多機能バッグを、背負いバッグとして使用しない場合、背負い紐を通していない背環がバッグ本体の背板側に露出したままになる。背負い紐を使用していない背環は、何かに引っ掛かりやすく、非常に危険であり、背負い紐を使用していない背環がバッグの背板側に露出したままではとても体裁が悪く問題であった。
【０００５】
そこで、背負い紐を使用していない背環が、何かに引っ掛かることなく安全で、かつ、体裁が良くなる多機能バッグを提供することを課題とする。
【課題を解決するための手段】
【０００６】
上記課題を解決すべく以下の（１）〜（６）の手段を講じている。
【０００７】
（１）背板１ａを有するバッグ本体１と、背負い紐３と、背負い紐３の上端位置を固定する背環２と、バッグ本体１へ背環２を取り付ける取り付け部４と、背環２を収納する収納ポケット５を具備する多機能バッグであって、前記収納ポケット５は、背板１ａの両端部を除く幅方向中央部にあって、背板１ａの上縁寄りに位置し、背板１ａの一部分を占める大きさであって、背負い紐３を外した背環２を収納し得る大きさになっていることを特徴とする。
【０００８】
背負い紐３を使用していない背環２を収納するポケットを有することで、安全で、体裁の良い多機能バッグを提供することができる。
【０００９】
（２）前記取り付け部４は、前記バッグ本体１に取り付けられた背環２が、バッグ本体１の背板１ａから突出した位置から、背板１ａ面側に沿う位置に折り返し可能に、バッグ本体１の背板１ａに接続することが好ましい。
【００１０】
折り返し可能となっていることで、背負い紐３を外した背環２が収納ポケット５に収納しやすくなり、背環２が背板１ａから突出することで、背負い紐３が通しやすくなる。また取り付け部４が背板１ａ面側に沿う位置に折り返し可能となっていることで、背環２を収納ポケット５にコンパクトかつ体裁よく収納することができる。
【００１１】
（３）前記取り付け部４は、折り曲げることが可能となっており、折り曲げることで、取り付け部４の直下に設けられた収納ポケット５に、背環２と共にそれ自身の少なくとも一部を収納することができるようにすることが好ましい。
【００１２】
取り付け部４を折り曲げることができることで、背負い紐３を外した背環２を収納ポケット５に収納しやすくなる。また、取り付け部４の直下に収納ポケット５が設けられていることで、取り付け部４自身も収納可能となり、体裁が良く、取り付け部４が何かに引っ掛かることもなく安全に使用できる。
【００１３】
（４）背環２に通した背負い紐３の両端を、バッグ本体１の背板１ａ側の両端下部付近又はバッグ本体１の底面両端付近に接続することで、背負い紐３が両肩に沿って背負うことができる構成とすることが好ましい。
【００１４】
背負い紐３を背環２に通し、背負い紐３の両端に設けられた接続具３ａを、背板１ａ側の両端下部付近又はバッグ本体１の底面両端付近に接続することで、一本の背負い紐３を両肩に沿って背負える構成にすることができる。
【００１５】
（５）前記収納ポケット５は、背板１ａの幅方向中央部の上縁寄りであって、背板１ａ側の左右の持ち手固定部１２ｆの間に位置し、上部が開口した袋状であって、折り返しリング４ｂがリング支持材４ｃに支持されている部分の下端に、収納ポケット５の開口部である上端が位置していることが好ましい。
【００１６】
収納ポケット５が、背板１ａ方向中央部の上縁寄りであって、背板１ａ側の左右の持ち手固定部１２ｆの間に位置することで、背板１ａの上縁寄りの幅中央位置に接続されている取り付け部４に取り付けられた背環２が体裁よく収納できる位置、大きさの収納ポケット５とすることができる。また、折り返しリング４ｂがリング支持材４ｃに支持されている部分の下端に、収納ポケット５の開口部である上端が位置することで、取り付け部４の大部分を収納ポケット５に収納することができる。また、折り返しリング４ｂがリング支持材４ｃに支持されている部分は収納ポケット５によって覆われていないため、折り返しリング４ｂが回動することによって、収納ポケット５が痛むことを防ぐことができる。
【００１７】
（６）前記バッグ本体１の背板１ａ側に、背環２以外の収納物を入れることが可能な物入れ部６をさらに有し、物入れ部６は、バッグ本体１と略同じ幅であって、バッグ本体１の底部から折り返しリング４ｂがリング支持材４ｃに支持されている部分の下端位置まで設けられていることが好ましい。
【００１８】
上記物入れ部６を有することで、収納ポケット５及び取り付け部４の大部分が物入れ部６に覆われ、とても体裁が良いうえに、収納スペースが増える。また、上記構成とすることで、折り返しリング４ｂがリング支持材４ｃに支持されている部分は、物入れ部６に覆われていない。よって、折り返しリング４ｂが回動することで、物入れ部６に折り返しリング４ｂが触れて、物入れ部６が痛むということを防ぐことができる。
【考案の効果】
【００１９】
この考案の多機能バッグは上述のような構成をしており、背負い紐３を使用していない背環２を収納ポケット５に収納することができる。よって、背負い紐３を使用していない背環２が何かに引っ掛かることもなく、とても安全に使用することができる。また、例えば、空港の荷物運搬機等に背環２が引っ掛かって、背環２、取り付け部４又はバッグ自体が破損するということもなくなる。さらに、背環２を収納ポケット５に収納することで、背環２が隠れて見えなくなり体裁にも優れる。
【図面の簡単な説明】
【００２０】
【図１】この考案の第１実施例の斜視図である。
【図２】この考案の第２実施例の斜視図である。
【図３】この考案の第１実施例の背負いベルトを取り付けた使用状態の背面図である。
【図４】この考案の第１実施例の要部拡大側面図である。
【考案を実施するための形態】
【００２１】
以下この考案の好適な実施例を、図面を参照して説明する。
【００２２】
〔第１実施形態〕
この実施形態のバッグは、背負い紐３の両端に有する接続具３ａを適宜の位置に設けた接続リング１ｅに接続することで、手提げ（図１）、肩掛け（図示せず）、斜め掛け（図示せず）又は背負う（図３）こと等ができる多機能バッグである。
【００２３】
図１及び図３に示すように、バッグ本体１には適宜の内容物を入れることができる横長略長方形の主袋を有し、主袋にはマチ１ｃが設けられており、バッグの側面縦方向中央よりも上縁側から、反対側の側面の略同じ位置まで、コの字状に設けられたファスナー１ｄによって主袋の上部に有する開口部が開閉可能なものとなっている。
【００２４】
また、バッグ本体１には、手提げ用の持ち手１ｆ、背負い紐３の両端に有する接続具３ａを接続するための接続リング１ｅ及び背板１ａを有している。持ち手１ｆは、バッグ本体１の表面側と背面側の上縁寄りの適宜の２箇所にそれぞれ設けられた下板１１ｆに、持ち手固定部１２ｆを縫着することで取り付けられている。また、バッグ本体１の背板１ａ側には、取り付け部４が設けられていて、その取り付け部４には背環２が取り付けられている。そして、さらに、背負い紐３を外した背環２を収納する収納ポケット５が設けられている。
【００２５】
〔多機能バッグを背負いバッグとして使用する方法〕
図３に示すように、背負い紐３を、背環２に両肩に沿って背負うことができるように通し、バッグの背板１ａ側の両端下部付近又はバッグの底面両端付近に設けられた接続リング１ｅに、背負い紐３の両端に設けられた接続具３ａをそれぞれ接続させることによって、本考案のバッグを背負いバッグとして使用できるようになる。
【００２６】
〔多機能バッグを肩掛け、斜め掛けバッグとして使用する方法〕
バッグの側面縦方向中央よりも上縁側に設けられているファスナー１ｄの始まり位置付近と、反対側の略同じ位置（ファスナー１ｄの終端位置）付近に設けられている接続リング１ｅに、背負い紐３の両端の接続具３ａをそれぞれ接続することで肩掛け又は斜め掛けバッグとして使用することができるようになる（図示せず）。
【００２７】
なお、上記接続リング１ｅは肩掛け、斜め掛けとして使用できる構成になるならば、例えば図２のようにバッグのどの位置に設けてもよい。
【００２８】
〔背環〕
背環２は、バッグ本体１の背板１ａの上縁寄りの幅中央位置に接続されている取り付け部４に取り付けられている。よって、背負い紐３の上端位置を固定することができ、背板１ａの中央位置に背環２を設けることで両肩にバランスよく背負える構造となる。
【００２９】
背環２は、図３に示すように、２個のリングからなり、幅広の背負い紐３を、重ねた前記２個のリングに順番に通し、通した背負い紐３を折り返し、先に通したリングのみに再度逆側から通すことで、１本の背負い紐３を両肩に沿って背負うことができるようにすることができる。なお、背環２はどのような形状等のものとしてもよい。
【００３０】
〔取り付け部〕
取り付け部４は、図１、図３に示すようにバッグ本体１の背板１ａの上縁寄りの幅中央位置に取り付けられたリング支持材４ｃと、それに支持された折り返しリング４ｂと、その折り返しリング４ｂに通した幅広のテープ４ａからなり、折り返しリング４ｂに通した前記幅広のテープ４ａを二つ折りにして縫い合わせることでループを形成している。そして、そのループに背環２（２個のリング）を通している。折り返しリング４ｂは横長略長方形のリングであり、前記幅広のテープ４ａが折れたり、よれたりしないように、若干の遊びを持つ程度の横幅を有することが望ましい。また、スムーズに折り返し可能となるために、少なくともリング支持材４ｃとテープ４ａが触れて擦れない程度の適宜の高さを有することが望ましい。折り返しリング４ｂが背板１ａ面上を回動可能に取り付けられていることにより取り付け部４も背板１ａ面を回動可能となる。よって、図４に示すように取り付け部４に取り付けられた背環２が、バッグ本体１の背板１ａから突出した位置から、背板１ａ面側に沿う位置に折り返し可能となる。
【００３１】
なお、折り返しリング４ｂはテープ４ａの幅に合わせた適宜の角カンにすれば、テープ４ａがよれたりせず、折り返しもし易く、体裁にも優れる。
【００３２】
上記のように取り付け部４が折り返し可能となっていることにより、背環２を収納ポケット５に収納しやすくなる。また、取り付け部４がバッグ本体１の背板１ａから突出した位置から折り返し可能となっていることで、突出位置で背環２に背負い紐３を通せるので通しやすくなるうえに、背負い紐３の長さをより長く確保することが可能となるので背負いやすくなる。さらに、図４（ａ）（ｂ）からもわかるように、背板１ａ面側に沿う位置に折り返し可能となっていることで、背板１ａ側に設けられた収納ポケット５に、背環２をコンパクトに体裁よく収めることができる。
【００３３】
ここで、図４（ａ）は、取り付け部４が背板１ａ面側に沿う位置に折り返されることで、背環２（二つのリング）も背板１ａに沿うこととなり、背板１ａ側に設けられた収納ポケット５に体裁良く収まっている状態を示している。
【００３４】
図４（ｂ）は、取り付け部４が背面側に沿う位置に折り返された状態であって、収納ポケット５に収納されていない状態を示す図である。
【００３５】
図４（ｃ）は、折り返しリング４ｂがバッグ本体１の背板１ａ面にリング支持材４ｃを介して回動可能に取り付けられていることで、折り返しリング４ｂに取り付けられた取り付け部４も背板１ａ面を回動可能となる。よって、取り付け部４に通された背環２も背板１ａ面を回動可能となり、背環２が背板１ａから突出した位置にある状態を示す図である。
【００３６】
また、図１及び図３に示すように、リング支持材４ｃは、持ち手固定部１２ｆと持ち手固定部１２ｆの略中央となるように位置し、それぞれの持ち手固定部１２ｆに対して略垂直に設けられている。そのリング支持材４ｃに支持されている折り返しリング４ｂも、それぞれの持ち手固定部１２ｆに対して略垂直に位置することとなる。
【００３７】
よって、折り返しリング４ｂに通された幅広のテープ４ａは、左右の持ち手固定部１２ｆに対して略水平に取り付けられることとなる。
【００３８】
ここで、持ち手固定部１２ｆとは、バッグ本体１に持ち手１ｆを取り付けている部分をいい。本実施品では、１本の紐状の適宜素材の両端部分（持ち手固定部１２ｆ）を、バッグ本体１の上縁付近の適宜の２箇所に縫着させることにより、１本の紐状の適宜素材が弓なりの持ちやすい持ち手１ｆとなるようにしている。また、縫着する際に持ち手１ｆと、バッグ本体１の間に下板１１ｆを設けて、補強することもできる。
【００３９】
ところで、上記のように構成することで、取り付け部４は、背板１ａから突出した位置である持ち手１ｆの弓状の頂点方向から、後述する左右の持ち手固定部１２ｆの間に設けられた収納ポケット５の略中央部、つまり、背板１ａの幅方向中央位置の背板１ａ面に沿う位置に回動可能となる。
【００４０】
テープ４ａの長さは長すぎると、持ち手１ｆに背環２が引っ掛かったり、収納ポケット５に収納し辛くなるうえに、背負ったときにバッグが下がり過ぎてしまい使いづらく、体裁も悪くなるため適宜の長さにすることが好ましい。
【００４１】
なお、折り返しリング４ｂを使用せず、二つ折りのテープ４ａをバッグ本体１に直接縫着してループ状にし、そのループに背環２を通す構造としても背板１ａ面状を回動可能とできるが、折り返しリング４ｂを使用する方が縫着部分の耐久性が向上し、好ましい。
【００４２】
前記テープ４ａは丈夫で可撓性を有するテープ４ａであることが好ましい。取り付け部４に可撓性を有するテープ４ａを使用することで、とても折り曲げやすくなり、背環２を収納ポケット５に出し入れし易くなる。また、取り付け部４の直下に収納ポケット５を設けた場合でも、取り付け部４が折り曲げ易ければ、背環２の出し入れが可能となるうえに、取り付け部４自身も収納ポケット５に収納することができる。よって、背環２だけでなく、取り付け部４のループ状部分に何かが引っ掛かるといったことがなくなり、より一層安全に使用することができ、尚且つ、取り付け部４も収納ポケット５に収納されることで、体裁もさらに優れることとなる。
【００４３】
〔収納ポケット〕
図１及び図３に示すように、収納ポケット５は、背板１ａの両端部を除く幅方向中央部にあり、背板１ａの上縁寄りであって、背板１ａ側の持ち手固定部１２ｆと持ち手固定部１２ｆの間に位置している。  そして、収納ポケット５は、上部が開口している袋状となっており、折り返しリング４ｂがリング支持材４ｃに支持されている部分の下端に、収納ポケット５の上端（開口部）が位置するように、バッグ本体１に設けられている。
【００４４】
背環２に背負い紐３を通して、背負いバッグとして利用する際、折り返しリング４ｂが使用状態に合わせて適宜の位置まで回動することとなる。このとき、折り返しリング４ｂがリング支持体に支持されている部分を支点に回動することとなる。よって、上記のように構成することで、折り返しリング４ｂがリング支持材４ｃに支持されている部分は収納ポケット５に覆われていないため、折り返しリング４ｂの動きによって、収納ポケット５が痛むことが少なくなる。
【００４５】
収納ポケット５の大きさは背環２を収納し得る大きさであって、背板１ａの一部分を占める大きさである。
【００４６】
また、収納ポケット５は、バッグ本体１の背板１ａに、背板１ａと略同じ大きさであって、上側が凹型をしたバッグ本体１と同素材の皮、布等をバッグの縫着ライン１ｇに沿って縫着し、貼り付けられ、収納ポケット５となる部分のみが上部が開口した袋状に形成されるように重ね合わされている。前記凹型部分の深さはバッグの上縁から横長略長方形の折り返しリング４ｂがリング支持材４ｃに支持されている部分の下端になる深さ、横幅は左右の持ち手固定部１２ｆのそれぞれの内側から内側の長さである。
【００４７】
このように構成することで、収納ポケット５の上縁が、折り返しリング４ｂがリング支持材４ｃに支持されている部分の下縁に位置するようになり、かつ、外観から収納ポケット５の存在がわかりづらく、とても体裁の良いものとなる。
【００４８】
また、収納ポケット５は、背環２等が出し入れし易く、かつ、背環２等を収納するスペースを確保するために、所定の奥行を有する立体空間を形成するようになっている。但し、奥行きの立体空間が広すぎると、バッグを斜めにした場合等に背環２等が飛び出す可能性があるうえに、生地が弛んで体裁も悪くなるので好ましくない。収納ポケット５が必要以上に大きすぎても同様である。
【００４９】
収納ポケット５を有することで、背負い紐３を背環２に通して使用しない場合に、背環２（二つのリング）がバッグ本体１の背板１ａ側に露出せず体裁に優れるだけでなく、背環２に何かが引っ掛かる危険もなくなり、安全にバッグを使用することができる。また、例えば、空港の荷物運搬機等に背環２が引っ掛かって、背環２、取り付け部４及びバッグ自体が破損するということもなくなる。さらに、本実施形態の場合、取り付け部４の大部分も収納ポケット５に収納できるようになっており、取り付け部４に何かが引っ掛かるという危険性も少なくなり、さらに取り付け部４の大部分が収納ポケット５に覆われて見えなくなるので体裁に優れる。
【００５０】
〔背負い紐〕
両端に接続具３ａを有した背負い紐３は、紐の長さの調節が可能となっており、幅広の頑丈な可撓性を有する紐で出来ている。背負い紐３の両端の接続具３ａを、バッグ本体１の背板１ａ側の両端下部付近又はバッグ本体１の底面両端付近に設けられた接続リング１ｅに接続することで、一本の背負い紐３が両肩に沿って背負うことが可能となる。つまり、一本の背負い紐３を背環２に通し、バッグ本体１の背板１ａ側の両端下部付近又は底面両端付近に接続することで、二つの空間が構成され、それぞれの空間に腕を通し、肩に沿うようにすれば、多機能バッグを背負えるようになる。
【００５１】
なお、上記接続リング１ｅはＤカンにし、背負い紐３の両端に設けられた接続具３ａをナスカンにすると、接続が容易となるうえに体裁に優れるので好ましい。
【００５２】
〔第２実施形態〕
図２に示す実施形態は基本的な構成は第１実施形態と同様であるが、以下の点で異なる。
【００５３】
〔収納ポケット〕
本実施形態の収納ポケット５は、バッグ本体１の背板１ａ側の上縁寄りの幅中央部に、背負い紐３を外した背環２を収納し得る大きさの適宜の生地を、上部が開口するように袋状に縫着したものである。
【００５４】
そして、背環２が背板１ａに沿って、収納ポケット５に収容された状態のときに、背環２の全てが隠れることとなるように収納ポケット５の上端が位置しており、取り付け部４の一部が収納ポケット５に覆われていない。
【００５５】
このように構成することで、収納ポケット５に収納された背環２を取り出すときに、収納ポケット５に収納されていない取り付け部４に、指等を引掛けることで、容易に背環２を収納ポケット５から取り出すことが可能となる。
【００５６】
〔物入れ部〕
バッグ本体１の背板１ａ側に背環２以外の収納物を収めることが可能な物入れ部６をさらに設けている。前記物入れ部６は、バッグ本体１の幅と略同じ幅であって、バッグ本体１の底部から折り返しリング４ｂがリング支持材４ｃに支持されている部分の下端に物入れ部６の上端が位置するように設けられている。
【００５７】
このように構成することで、背板１ａ側に設けられた、背環２を収納した収納ポケット５及び、取り付け部４の大部分が物入れ部６に覆われ、とても体裁が良い。また、背環２に背負い紐３を通して、背負いバッグとして利用する際、折り返しリング４ｂが使用状態に合わせて適宜の位置まで回動することとなるが、折り返しリング４ｂがリング支持材４ｃに支持されている部分は物入れ部６に覆われていないため、折り返しリング４ｂの動きによって、物入れ部６が痛むことが少なくなる。
【００５８】
また、バッグ本体１の幅と同じ収納スペースも増え、例えば、使用しない背負い紐３を収納することも可能となる。
【００５９】
以上がこの考案の好適な実施形態であるが、この考案は上述の実施形態の構成に限定されるものではなく、形状、寸法、材質等を適宜変更して実施することが可能である。
【符号の説明】
【００６０】
１      バッグ本体
１ａ    背板
１２ｆ  持ち手固定部
２      背環
３      背負い紐
４      取り付け部
４ｂ    折り返しリング
４ｃ    リング支持材
５      収納ポケット
【図１】
0003171028.tif 000003
【図２】
0003171028.tif 000004
【図３】
0003171028.tif 000005
【図４】
0003171028.tif 000006